【手続補正書】
【提出日】平成23年8月4日(2011.8.4)
【手続補正１】
【補正対象書類名】明細書
【補正対象項目名】００２０
【補正方法】変更
【補正の内容】
【００２０】
図１及び図３を参照すると、本発明のプラグヘッド及びプラグステムの特定の実施形態が説明されている。バルブプラグ１００が、プラグステム基部１０３に固定されるプラグヘッド１０１を有し、当該プラグステム基部１０３が、次いで、プラグステム１０２に取り付けられているのが示される。図２に示されるように、プラグヘッド１０１は、勾配付き縁部１１０を有する基部を含む。プラグステム１０２の遠位部は、勾配付き縁部１１２を含む。プラグヘッド１０１は、２つのクランプ（半リング）１０４によってプラグステム基部１０３に固定され、当該２つのクランプ１０４は、プラグヘッド１０１とプラグステム基部１０３との間に狭装されたインターフェースを提供する。２つのクランプは、プラグヘッド１０１とプラグステム基部１０３とにわたって取り付けられ、４本のボルト１２０によって所定の位置に固く保持される。本発明の特定の実施形態において、ボルトは、ナット１０７ａ，ｂによって所定の位置に固定される。あるいは、２つのクランプを、ピン、ネジ、溶接部、ロウ付け部、クランプ又はこれらの均等物によって所定の位置に保持することができる。加えて、クランプ１０４は、一方の端部で２つのクランプ１０４を共に保持するように蝶番機構又はさねはぎ機構を含む一方で、反対の端部で２つのクランプ１０４を共に固定するように２本のボルト１２０を用いることができる。２つのクランプ１０４は、使用中にプラグヘッド１０１に対してショック吸収能力及び応力緩和作用を提供することができる。
【手続補正２】
【補正対象書類名】明細書
【補正対象項目名】００２４
【補正方法】変更
【補正の内容】
【００２４】
図４は、バルブ組立体３００における本発明のバルブプラグ１００の代表的なシステムを示す。バルブプラグ１００は、バルブ室３０１からの第１の流路３０３と第２の流路３０２とをプラグヘッド１０１によって閉じる略閉鎖位置にあるのが示されている。バルブプラグステム１０２は、アクチュエータ３０４に接続され、バルブ軸部支持（又はシャフト支持）パッキン（図示しない）によって閉鎖状態、好ましくは流体密封近接状態に、シャフト３０５により密閉されているのが示されている。図４は、典型的なバルブ３００における稼動環境にあるバルブプラグ１００の実施形態を示す。アクチュエータ３０４は、示された閉鎖位置に、又は第１の流路３０３から第２の流路３０２への流体流れを可能にするように引っ込められた位置に、バルブプラグ１００を位置決めするために働く。あるいは、流れは、いくつかのバルブで一般的であるように、反対の方向に流れることができる。
【手続補正３】
【補正対象書類名】特許請求の範囲
【補正対象項目名】全文
【補正方法】変更
【補正の内容】
【特許請求の範囲】
【請求項１】
プラグ組立体であって、
プラグステム基部を有するプラグステムと、
プラグヘッドと、
プラグステム基部をプラグヘッドに締結するための締結機構であって、プラグステム基部とプラグヘッドとの間に狭装されたインターフェースを取り囲みかつ提供する少なくとも２つの保持クランプを具備する、締結機構と、
を具備する、プラグ組立体。
【請求項２】
締結機構が、プラグヘッドがシートクランプの自然な中心を確認することを可能にするために、プラグヘッドが横方向に移動することを可能にするように、構成される、
請求項１に記載のプラグ組立体。
【請求項３】
プラグヘッドが、犠牲材料から作られる、
請求項１に記載のプラグ組立体。
【請求項４】
少なくとも２つの保持クランプが、犠牲ボルトによって所定の位置に固定される、
請求項１に記載のプラグ組立体。
【請求項５】
ボルトが、ナットによって所定の位置に固定される、
請求項４に記載のプラグ組立体。
【請求項６】
さらに、少なくとも２つの保持クランプの１又は複数の区域同士の間にスペーサを具備する、
請求項４に記載のプラグ組立体。
【請求項７】
少なくとも２つの保持クランプが、犠牲のピン、ネジ、溶接部、ロウ付け部又はクランプによって所定の位置に保持される、
請求項１に記載のプラグ組立体。
【請求項８】
少なくとも２つの保持クランプが、一方の端部で少なくとも２つのクランプを共に保持するように蝶番機構又はさねはぎ機構を具備する、
請求項１に記載のプラグ組立体。
【請求項９】
締結機構が、プラグヘッドに衝撃吸収能力を提供する、
請求項１に記載のプラグ組立体。
【請求項１０】
プラグステムが、チタニウム、ジルコニウム、ニオブ、合金鋼、炭素鋼、鉄ベースの超合金、ステンレス鋼、ニッケル、ニッケルベースの超合金、銅ベースの合金、コバルト合金、コバルトベースの超合金、アルミニウム、マグネシウム合金、タンタル、又はこれらの任意の合金を含んでなる、
請求項１に記載のプラグ組立体。
【請求項１１】
プラグヘッドが、炭化ケイ素、窒化ケイ素、酸化アルミニウム、酸化ジルコニウム、炭化タングステン、ウィスカ強化配合のセラミックス、二相セラミックス、又はサーメットを含んでなる、
請求項１に記載のプラグ組立体。
【請求項１２】
締結機構が、チタニウム、ジルコニウム、ニオブ、合金鋼、炭素鋼、鉄ベースの超合金、ステンレス鋼、ニッケル、ニッケルベースの超合金、銅ベースの合金、コバルト合金、コバルトベースの超合金、アルミニウム、マグネシウム合金、タンタル、又はこれらの任意の合金を含んでなる、
請求項１に記載のプラグ組立体。
【請求項１３】
プラグステム基部が勾配付き縁部を有する、
請求項１に記載のプラグ組立体。
【請求項１４】
プラグヘッドが勾配付き縁部を有する、
請求項１に記載のプラグ組立体。
【請求項１５】
プラグステム基部が、プラグヘッドの直径よりも小さい直径を有する、
請求項１に記載のプラグ組立体。
【請求項１６】
さらに、プラグステム基部とプラグヘッドとの間のクッション作用及び分離作用を提供するように、プラグステム基部内部又はその近傍に位置決めされたワッシャ又はバネを具備する、
請求項１に記載のプラグ組立体。
【請求項１７】
少なくとも２つの保持クランプが、互いから離間されるように構成される、
請求項１に記載のプラグ組立体。
【請求項１８】
プラグヘッドを、交換し又はプラグステムに取り付ける方法であって、
プラグステム基部を有するプラグステムを提供する段階と、
プラグヘッドを提供する段階と、
少なくとも２つの保持クランプを具備する締結機構を提供する段階と、
プラグステム基部とプラグヘッドとの間に狭装されたインターフェースを提供するように、プラグステム基部とプラグヘッドとの周りに締結機構を連結する段階と、
を含む、方法。
【請求項１９】
締結機構がさらに、少なくとも２つの保持クランプのそれぞれを共に接続するための犠牲相互接続機構を具備する、
請求項１８に記載の方法。
【請求項２０】
犠牲相互接続機構が、ボルト、ピン、ネジ、溶接部、ロウ付け部又はクランプを含む、
請求項１９に記載の方法。
【請求項２１】
さらに、前記相互接続機構を切断する段階を含む、
請求項１９に記載の方法。
【請求項２２】
プラグ組立体であって、
プラグステム基部を有するプラグステムと、
プラグヘッドと、
プラグステム基部をプラグヘッドに締結するための締結手段であって、当該締結手段が、プラグステム基部とプラグヘッドとの間に狭装されたインターフェースを取り囲みかつ提供する少なくとも２つのバンド区域を具備し、当該少なくとも２つのバンド区域が、犠牲相互接続手段と結合され、かつ、当該手段によって離間された、締結手段と、
を具備する、プラグ組立体。